(57)【特許請求の範囲】
【請求項１】
第１の画像を構成する光を射出する第１の画素と、第２の画像を構成する光を射出する第２の画素とが交互に配列された画素行と、
平面視で前記画素行の前記第１の画素と前記第２の画素との境界領域のうち１つおきの前記境界領域を含む領域に開口部が設けられた、前記第１の画素及び前記第２の画素の光射出側に配置された遮光性の光学素子と、を備え、
複数の前記第１の画素からなる第１の画素群及び複数の前記第２の画素からなる第２の画素群は、異なる色に対応する少なくとも２種の前記画素を含み、
前記光学素子の前記開口部の、前記画素行の延在方向に交差する縁と、前記画素の、前記開口部に含まれる前記境界領域に沿った辺とは、平面視で互いに並行しており、
一の前記画素の前記辺と、当該辺に最も近い前記縁との平面視での距離を光射出幅と定義した場合に、一の前記色に対応する前記画素の前記光射出幅は、他の前記色に対応する前記画素の前記光射出幅と異なることを特徴とする電気光学装置。
【請求項２】
請求項１に記載の電気光学装置であって、
前記異なる色のうち最も長波長側の前記色に対応する前記画素の前記光射出幅は、他の前記色に対応する前記画素の前記光射出幅より小さいことを特徴とする電気光学装置。
【請求項３】
請求項２に記載の電気光学装置であって、
長波長側の前記色に対応する前記画素ほど、前記光射出幅が小さいことを特徴とする電気光学装置。
【請求項４】
請求項１から３のいずれか一項に記載の電気光学装置であって、
前記境界領域の前記画素行の延在方向についての幅は一定であり、
前記開口部の前記画素行の延在方向についての幅は、当該開口部と平面視で一部が重なる前記境界領域の幅と、当該境界領域を挟んで隣り合う２つの前記画素の前記光射出幅との和に等しいことを特徴とする電気光学装置。
【請求項５】
請求項１から３のいずれか一項に記載の電気光学装置であって、
前記開口部の前記画素行の延在方向についての幅は一定であり、
前記境界領域の前記画素行の延在方向についての幅は、前記開口部の幅から、当該境界領域を挟んで隣り合う２つの前記画素の前記光射出幅の和を差し引いた長さに等しいことを特徴とする電気光学装置。
【請求項６】
請求項１から５のいずれか一項に記載の電気光学装置であって、
前記異なる色は、赤系の色、緑系の色、青系の色の３色であり、
前記赤系の色に対応する前記画素の前記光射出幅は、前記緑系の色に対応する前記画素の前記光射出幅より小さく、
前記緑系の色に対応する前記画素の前記光射出幅は、前記青系の色に対応する前記画素の前記光射出幅より小さいことを特徴とする電気光学装置。
【請求項７】
請求項１から６のいずれか一項に記載の電気光学装置を搭載することを特徴とする電子機器。
【発明の詳細な説明】
【技術分野】
【０００１】
本発明に係る一態様は、電気光学装置及び電子機器に関する。
【背景技術】
【０００２】
電気光学パネルに、開口部を有する遮光性の光学素子を重ねることで、２以上の異なる方向に異なる画像を指向性表示できることが知られている（例えば特許文献１）。図１６は、指向性表示が可能な電気光学装置の模式断面図である。電気光学パネルとしての液晶パネル２の画素４Ｌ，４Ｒからは、それぞれ異なる画像の表示を構成する光が射出される。以下では、画素４Ｌにより表示される画像を第１の画像、画素４Ｒにより表示される画像を第２の画像とも呼ぶ。液晶パネル２に対向する位置には、開口部５４Ａを有する光学素子５４が配置されている。画素４Ｌから射出され、開口部５４Ａを通過した光は、図中左寄りに偏在する表示角度範囲３Ｌにおいて視認される。同様に、画素４Ｒから射出され、開口部５４Ａを通過した光は、図中右寄りに偏在する表示角度範囲３Ｒにおいて視認される。そして、表示角度範囲３Ｌのうち表示角度範囲ＶＬでは、画素４Ｌからの光のみが視認され、表示角度範囲３Ｒのうち表示角度範囲ＶＲでは、画素４Ｒからの光のみが視認される。よって、表示角度範囲ＶＬでは第１の画像のみが視認され、表示角度範囲ＶＲでは第２の画像のみが視認される。
【０００３】
こうした指向性表示が可能な電気光学装置によれば、例えば、表示角度範囲ＶＬ，ＶＲに異なる人物を位置させることにより、第１の画像と第２の画像とを当該異なる人物に同時に視認させることができる。あるいは、表示角度範囲ＶＬ，ＶＲにそれぞれ左目、右目が位置するように構成すれば、第１の画像が左目に、第２の画像が右目に入射することとなるため、立体表示を行うことができる。
【０００４】
【特許文献１】特許第３０９６６１３号公報
【発明の開示】
【発明が解決しようとする課題】
【０００５】
しかしながら、上記構成においては、液晶パネル２から射出された光の一部が、光学素子５４の開口部５４Ａを通過する際に回折し、適視範囲が狭まるという課題がある。すなわち、図１６において、画素４Ｌから射出された光のうち臨界光路８Ｌを進んだ光の一部は、開口部５４Ａの縁で回折して回折光９Ｌｄとなり、本来の表示角度範囲３Ｌからはずれた位置に入射してしまう。同様に、画素４Ｒから射出された光のうち臨界光路８Ｒを進んだ光の一部は、開口部５４Ａの縁で回折して回折光９Ｒｄとなり、本来の表示角度範囲３Ｒからはずれた位置に入射してしまう。この結果、第１の画像のみ、又は第２の画像のみを視認できる表示角度範囲ＶＬ，ＶＲが狭まってしまうという課題がある。
【０００６】
ここで、回折角（回折による光の進行角度の変化量）は、波長の長い光ほど大きい。このため、図１７に示すように、赤、緑、青の表示を行う画素４ｒ，４ｇ，４ｂからの回折光９Ｌｄの回折角Δｒ，Δｇ，Δｂは、Δｒ＞Δｇ＞Δｂの関係を有する。今、回折がなかったと仮定した場合にこれらの光が進行する方向（すなわち臨界光路８Ｌの方向）の法線からの角度φｒ，φｇ，φｂはいずれも等しいので、回折光９Ｌｄの法線からの到達角度範囲θｒ（＝φｒ＋Δｒ），θｇ（＝φｇ＋Δｇ），θｂ（＝φｂ＋Δｂ）は、θｒ＞θｇ＞θｂの関係を有する。このように、回折光９Ｌｄの到達角度範囲が色によって異なるため、ある表示角度においては、回折光９Ｌｄのうちある色は視認され、他の色は視認されないといった現象が生じる。このため、当該表示角度における表示が大きく乱れる。このように、特にカラーの指向性表示が可能な電気光学装置においては、表示の色ごとに回折光の到達角度範囲が異なることに起因して表示品位が低下するという問題点がある。
【課題を解決するための手段】
【０００７】
本発明は、上記課題の少なくとも一部を解決するためになされたものであり、以下の形態又は適用例として実現することが可能である。
【０００８】
［適用例１］第１の画像を構成する光を射出する第１の画素と、第２の画像を構成する光を射出する第２の画素とが交互に配列された画素行と、平面視で前記画素行の前記第１の画素と前記第２の画素との境界領域のうち１つおきの前記境界領域を含む領域に開口部が設けられた、前記第１の画素及び前記第２の画素の光射出側に配置された遮光性の光学素子と、を備え、複数の前記第１の画素からなる第１の画素群及び複数の前記第２の画素からなる第２の画素群は、異なる色に対応する少なくとも２種の前記画素を含み、前記光学素子の前記開口部の、前記画素行の延在方向に交差する縁と、前記画素の、前記開口部に含まれる前記境界領域に沿った辺とは、平面視で互いに並行しており、一の前記画素の前記辺と、当該辺に最も近い前記縁との平面視での距離を光射出幅と定義した場合に、一の前記色に対応する前記画素の前記光射出幅は、他の前記色に対応する前記画素の前記光射出幅と異なる電気光学装置。
【０００９】
このような構成の電気光学装置によれば、第１の画像と第２の画像とを、開口部を介して互いに異なる表示角度範囲に指向性表示することができる。ここで、第１の画素の上記辺と、光学素子の開口部の上記縁とを結ぶ光路（以下では「臨界光路」とも呼ぶ）を進行する光の一部は、上記縁において回折し、第２の画素からの光のみが視認されるべき表示角度範囲に射出される。同様に、第２の画素の上記辺と、光学素子の開口部の上記縁とを結ぶ光路（臨界光路）を進行する光の一部は、上記縁において回折し、第１の画素からの光のみが視認されるべき表示角度範囲に射出される。このときの回折角は、光の色（波長）に依存する。一方で、上記構成によれば、対応する色に応じて画素の光射出幅が異なるため、臨界光路の法線からの角度が、対応する色に応じて画素ごとに異なる。したがって、臨界光路の法線からの角度と回折角とを合わせた、回折光の法線からの到達角度範囲を、回折光の色に応じて制御することが可能となる。よって、回折光の到達角度範囲の色によるばらつきを低減させることができる。上記における「法線」は、光学素子がなす面の法線を指す。
【００１０】
［適用例２］上記電気光学装置であって、前記異なる色のうち最も長波長側の前記色に対応する前記画素の前記光射出幅は、他の前記色に対応する前記画素の前記光射出幅より小さい電気光学装置。
【００１１】
このような構成によれば、最も長波長側の色に対応する画素における臨界光路の法線からの角度を小さくすることができる。これにより、当該画素における臨界光路の法線からの角度と回折角とを合わせた、回折光の法線からの到達角度範囲を低減させることができ、色による回折光の到達角度範囲のばらつきを抑えることができる。
【００１２】
［適用例３］上記電気光学装置であって、長波長側の前記色に対応する前記画素ほど、前記光射出幅が小さい電気光学装置。
【００１３】
このような構成によれば、長波長側の色に対応する画素ほど、臨界光路の法線からの角度を小さくすることができる。一方、回折角は、長波長側の色の光ほど大きい。よって、臨界光路の法線からの角度と回折角とを合わせた、回折光の法線からの到達角度範囲を、色によらず一定に近付けることができる。
【００１４】
［適用例４］上記電気光学装置であって、前記境界領域の前記画素行の延在方向についての幅は一定であり、前記開口部の前記画素行の延在方向についての幅は、当該開口部と平面視で一部が重なる前記境界領域の幅と、当該境界領域を挟んで隣り合う２つの前記画素の前記光射出幅との和に等しい電気光学装置。
【００１５】
このように開口部の幅を調整すれば、各画素における光射出幅を対応する色に応じて異ならせることができる。
【００１６】
［適用例５］上記電気光学装置であって、前記開口部の前記画素行の延在方向についての幅は一定であり、前記境界領域の前記画素行の延在方向についての幅は、前記開口部の幅から、当該境界領域を挟んで隣り合う２つの前記画素の前記光射出幅の和を差し引いた長さに等しい電気光学装置。
【００１７】
このように境界領域の幅を調整すれば、各画素における光射出幅を対応する色に応じて異ならせることができる。
【００１８】
［適用例６］上記電気光学装置であって、前記異なる色は、赤系の色、緑系の色、青系の色の３色であり、前記赤系の色に対応する前記画素の前記光射出幅は、前記緑系の色に対応する前記画素の前記光射出幅より小さく、前記緑系の色に対応する前記画素の前記光射出幅は、前記青系の色に対応する前記画素の前記光射出幅より小さい電気光学装置。
【００１９】
このような構成によれば、臨界光路の法線からの角度を、赤系の画素で最も小さくすることができ、また青系の画素で最も大きくすることができる。一方、回折角は、赤系の色の光で最も大きく、青系の色の光で最も小さい。よって、臨界光路の法線からの角度と回折角とを合わせた、回折光の法線からの到達角度範囲を、色によらず一定とすることができる。
【００２０】
［適用例７］上記電気光学装置を搭載することを特徴とする電子機器。
【００２１】
このような構成によれば、回折光の影響の、色によるばらつきが小さい、高品位な表示が可能な電子機器が得られる。
【発明を実施するための最良の形態】
【００２２】
以下、図面を参照し、電気光学装置及び電子機器の実施形態について説明する。なお、以下に示す各図においては、各構成要素を図面上で認識され得る程度の大きさとするため、各構成要素の寸法や比率を実際のものとは適宜に異ならせてある。
【００２３】
（第１の実施形態）
図１は、電気光学装置としての液晶装置１の構成を示す図であり、（ａ）は斜視図、（ｂ）は（ａ）中のＡ−Ａ線における断面図である。液晶装置１は、電気光学パネルとしての液晶パネル２と、液晶パネル２に対向して配置されたマスク基板５０とを有している。以下では、液晶パネル２のマスク基板５０側の方向を「観察側」とも呼び、マスク基板５０とは反対側の方向を「背面側」とも呼ぶ。マスク基板５０には、開口部５４Ａを有する遮光性の光学素子５４（図２、図５）が形成されている。マスク基板５０の観察側には偏光板４７が配置され、液晶パネル２の背面側には偏光板４６が配置されている。液晶パネル２は、素子基板１０と、素子基板１０の観察側に配置された対向基板３０とを有している。素子基板１０と対向基板３０とは、枠状のシール剤４１を介して貼り合わされている。素子基板１０、対向基板３０、シール剤４１によって囲まれた空間には、液晶層４０が配置されている。素子基板１０上には、液晶層４０を駆動するためのドライバＩＣ４２が配置されている。偏光板４６の背面側には、バックライト４９が配置されている。液晶装置１は、バックライト４９から入射した光を変調し、観察側に透過させることによって、表示領域４３において表示を行う。
【００２４】
図２は、液晶装置１の表示領域４３の拡大平面図である。この図は、液晶装置１を観察側から、より詳しくはマスク基板５０の法線方向から見た図である。本明細書では、マスク基板５０の法線方向から見ることを「平面視」とも呼ぶ。マスク基板５０の法線方向をＺ軸と定義する。また、図３（ａ）は、液晶パネル２の拡大平面図であり、図３（ｂ）は、マスク基板５０の拡大平面図である。図２は、図３（ａ）の液晶パネル２に図３（ｂ）のマスク基板５０を重ねた状態の平面図である。
【００２５】
液晶パネル２は、マトリクス状に配置された、平面視で矩形の画素４ｒ，４ｇ，４ｂを有しており、これらはそれぞれ赤、緑、青の光を射出する（以下では、対応する色を区別しない場合には単に「画素４」とも呼ぶ）。画素４ｒ，４ｇ，４ｂは、一の方向にこの順に繰り返し配置されて、画素行５を構成している。画素４は、画素行５に直交する方向については、同一の色に対応する画素４が一列にストライプ状に並ぶように配置されて、画素列６を構成している。隣り合う画素４の間には、遮光性の樹脂からなる遮光層３４が配置されている。平面視での画素４の領域は、遮光層３４に囲まれた領域である。また、本明細書では、画素行５の延在方向をＸ軸、画素列６の延在方向をＹ軸と定義する。
【００２６】
各画素４から射出される光は、第１の画像又は第２の画像のいずれかを構成する。第１の画像を構成する光を射出する画素４を画素４Ｌ、第２の画像を構成する光を射出する画素４を画素４Ｒとも呼ぶ。画素４Ｌ，４Ｒは、それぞれ第１の画素、第２の画素に対応する。画素４Ｌ，４Ｒは、画素行５に沿って交互に繰り返し配置されており、また画素列６に沿っても交互に繰り返し配置されている。
【００２７】
複数の画素４Ｌからなる画素群は、３つの異なる色（赤、緑、青）に対応する３種の画素４ｒ，４ｇ，４ｂを含んでいる。同様に、複数の画素４Ｒからなる画素群も、３つの異なる色（赤、緑、青）に対応する３種の画素４ｒ，４ｇ，４ｂを含んでいる。
【００２８】
画素４の観察側、すなわち光射出側には、マスク基板５０に形成された光学素子５４が位置している。光学素子５４は遮光性を有しており、光学素子５４に設けられた開口部５４Ａにおいては、光が通過するようになっている。図２、図３（ｂ）中の網掛け部は、光学素子５４の配置領域を表している。光学素子５４及び開口部５４Ａの詳細な構成と作用については後述する。
【００２９】
図４は、画素４の近傍の構成要素を拡大して示した平面図である。図５は、図４中のＢ−Ｂ線における断面図である。図４に示すように、Ｘ方向に沿ってゲート線１２が形成されており、Ｙ方向に沿って、ソース線１４が形成されている。ゲート線１２とソース線１４との交差に対応する位置には、半導体層２０ａを含む、スイッチング素子としてのＴＦＴ（Thin Film Transistor）素子２０が形成されている。
【００３０】
ゲート線１２、ソース線１４に囲まれた矩形の領域には、共通電極１７、画素電極１６が形成されている。共通電極１７は、この矩形領域の略全面にわたって形成されている。共通電極１７は、液晶パネル２の略全面に形成されていてもよい。画素電極１６には、細長いくの字形状のスリット１６Ａが平行に多数設けられている。共通電極１７は、図示しない定電位線に接続されており、画素電極１６は、コンタクトホール２５を介してＴＦＴ素子２０のドレイン電極２０ｄに接続されている。
【００３１】
ゲート線１２が選択電位となると、当該ゲート線１２に接続されたＴＦＴ素子２０がオン状態となる。ＴＦＴ素子２０がオン状態となっている期間においては、ソース線１４に供給された画像信号が、ＴＦＴ素子２０を介して画素電極１６に印加される。画素電極１６に印加された所定のレベルの画像信号と、共通電極１７の共通電位とで定まる電圧が駆動電圧となる。
【００３２】
図５に示すように、素子基板１０は、基板１１を基体として構成される。基板１１としては、ガラス基板や石英基板等を用いることができる。基板１１の液晶層４０側には、ゲート線１２が形成されている。基板１１と、ゲート線１２との間には、さらに酸化シリコン（ＳｉＯ2）、窒化シリコン（ＳｉＮ）等からなる絶縁層が設けられていてもよい。ゲート線１２の上層には、酸化シリコン（ＳｉＯ2）、窒化シリコン（ＳｉＮ）等からなるゲート絶縁層２１を挟んで半導体層２０ａが形成されている。半導体層２０ａは、例えばアモルファスシリコンやポリシリコン等から構成することができる。また、半導体層２０ａに一部が重なる状態で、ソース電極２０ｓとドレイン電極２０ｄが形成されている。ソース電極２０ｓは、ソース線１４（図４）と一体で形成することができる。半導体層２０ａ、ソース電極２０ｓ、ドレイン電極２０ｄ、ゲート線１２等からＴＦＴ素子２０が構成される。ゲート線１２は、ＴＦＴ素子２０のゲート電極２０ｇの役割を兼ねる。ゲート線１２（ゲート電極２０ｇ）、ソース電極２０ｓ、ドレイン電極２０ｄ、ソース線１４は、例えば、チタン（Ｔｉ）、クロム（Ｃｒ）、タングステン（Ｗ）、タンタル（Ｔａ）、モリブデン（Ｍｏ）等の高融点金属のうちの少なくとも１つを含む、金属単体、合金、金属シリサイド、ポリシリサイド、これらを積層したもの、あるいは導電性ポリシリコン等から構成することができる。なお、スイッチング素子としては、３端子のＴＦＴ素子２０に代えて、２端子のＴＦＤ（Thin Film Diode）素子等を用いてもよい。
【００３３】
ＴＦＴ素子２０の上層には、酸化シリコン（ＳｉＯ2）、窒化シリコン（ＳｉＮ）等からなる層間絶縁層２２を挟んで、透光性を有するＩＴＯ（Indium Tin Oxide）からなる共通電極１７が形成されている。
【００３４】
共通電極１７上には、酸化シリコン（ＳｉＯ2）、窒化シリコン（ＳｉＮ）等からなる層間絶縁層２３を挟んで、ＩＴＯからなる画素電極１６が形成されている。画素電極１６は、層間絶縁層２２，２３を貫通して形成されたコンタクトホール２５を介してＴＦＴ素子２０のドレイン電極２０ｄに接続されている。また、画素電極１６上には、ポリイミドからなる配向膜（不図示）が形成されている。素子基板１０は、基板１１から当該配向膜までの要素により構成される。
【００３５】
共通電極１７と画素電極１６との間に駆動電圧が印加されると、画素電極１６の上面から出て共通電極１７の上面に至る（又は共通電極１７の上面から出て画素電極１６の上面に至る）電気力線を有する電界が発生する。このとき、液晶層４０には、基板１１に平行な成分を有する電界、すなわち横電界が生じる。液晶層４０中の液晶分子４０Ａは、この横電界に従って基板１１に平行な平面内で配向方向を変える。その結果、偏光板４６，４７の透過軸との相対角度が変化し、その相対角度に応じた偏光変換機能に基づいて表示が行われる。こうした液晶モードはＦＦＳ（Fringe Field Switching）モードと呼ばれ、液晶分子４０Ａが常に基板１１に対して平行な状態で駆動されることに起因して、広い視野角が得られる。
【００３６】
対向基板３０は、基板３１を基体として構成される。基板３１は、基板１１に対向して配置されている。基板３１としては、ガラス基板や石英基板等を用いることができる。基板３１の液晶層４０側には、カラーフィルタ３２が形成されている。カラーフィルタ３２は、入射した光のうち特定の波長の光を吸収する部材であり、カラーフィルタ３２によって透過光を所定の色（例えば赤、緑、又は青）とすることができる。カラーフィルタ３２は、赤、緑、青の各色に対応する３種の色要素を含んで構成され、これらの色要素はそれぞれ画素４ｒ，４ｇ，４ｂに配置されている。ここで、カラーフィルタ３２の観察側表面は、各画素４において光が射出される、光射出部７となる。すなわち、図５の断面における画素４の占有領域は、光射出部７を観察側表面とする直方体である。
【００３７】
カラーフィルタ３２と同一の層には遮光層３４が形成されている。遮光層３４は、画素間領域からの光漏れを防止して表示のコントラストを向上させる役割を果たす。カラーフィルタ３２及び遮光層３４の表層（背面側）には、ポリイミドからなる配向膜（不図示）が形成されている。なお、カラーフィルタ３２及び遮光層３４の上に、透光性を有する樹脂からなるオーバーコートを積層し、その上に配向膜を形成してもよい。対向基板３０は、基板３１から当該配向膜までの要素により構成される。
【００３８】
素子基板１０と対向基板３０との間には、上述のように液晶層４０が配置されている。素子基板１０、対向基板３０に形成された配向膜は、いずれもＸ方向（図４）に沿ってラビング処理がなされている。これにより、液晶分子４０Ａは、電圧非印加時にはＸ方向に沿って配向する。したがって、液晶層４０は電圧非印加時には平行配向となっている。
【００３９】
対向基板３０の、液晶層４０とは反対側の表面には、接着剤５６を介してマスク基板５０が貼り付けられている。マスク基板５０は、ガラスや石英等からなる基板５１を基体として構成される。基板５１の液晶層４０側の面には、光学素子５４が形成されている。よって、光学素子５４は、画素４の光射出側に位置している。光学素子５４は、例えば黒色の樹脂又は金属等から構成することができる。
【００４０】
素子基板１０の背面側には偏光板４６が、マスク基板５０の観察側には偏光板４７が、それぞれ配置されている。偏光板４６の透過軸はＸ軸方向に沿って延在しており、偏光板４７の透過軸はＹ軸方向に沿って延在している。上記のように、液晶層４０の配向方向は、Ｘ軸に沿った方向となっている。したがって、偏光板４６，４７の透過軸は、相互に直交するように配置されるとともに、液晶層４０の配向方向と平行又は垂直となるように配置されている。また、偏光板４６の背面側には、偏光板４６に向けて光を照射するバックライト４９が配置されている。
【００４１】
こうした構成によれば、液晶層４０の液晶分子４０ＡがＸ軸に沿って配向している場合（例えば電圧非印加時）には暗表示が行われる。すなわち、このときバックライト４９から射出され偏光板４６を透過した直線偏光は、液晶層４０によっては位相差を与えられず、同一の直線偏光のまま偏光板４７に入射して吸収されるため、暗表示となる。一方、液晶層４０に駆動電圧が印加されて液晶分子４０Ａの配向方向がＸ軸に対して非平行となると、中間調表示又は明表示が行われる。すなわち、このときバックライト４９から射出され偏光板４６を透過したＸ軸に平行な偏光軸を有する直線偏光は、液晶層４０によって位相差を与えられて、円偏光、楕円偏光、又はＹ軸に平行な偏光軸を有する直線偏光に変換されて偏光板４７に入射する。このため、入射光の一部が偏光板４７を透過して、中間調表示又は明表示が行われる。
【００４２】
図２に戻り、光学素子５４及び開口部５４Ａの構成について詳述する。開口部５４Ａは、平面視で略矩形である。また、開口部５４Ａは、平面視で画素行５のうち画素４Ｌと画素４Ｒとの境界領域の少なくとも一部を含む領域に形成されている。より詳しくは、開口部５４Ａは、平面視で画素行５の画素４Ｌと画素４Ｒとの境界領域のうち１つおきの境界領域を含む領域に設けられている。ここで、画素４Ｌと画素４Ｒとの境界領域とは、本実施形態では画素４Ｌと画素４Ｒとの間に配置された遮光層３４の形成領域である。開口部５４Ａの画素行５方向の幅は、遮光層３４の幅より大きくなっている。また、開口部５４Ａは、−Ｘ方向に沿って、画素４Ｌ、開口部５４Ａ、画素４Ｒがこの順に並ぶような位置に配置されている。したがって、ある開口部５４Ａの＋Ｘ方向には画素４Ｌが配置され、−Ｘ方向には画素４Ｒが配置されている。なお、−Ｘ方向に沿って画素４Ｒ，４Ｌがこの順に並んでいる部位には開口部５４Ａは設けられていない。
【００４３】
開口部５４Ａは１つおきの遮光層３４に対応して配置されているので、画素行５に沿った開口部５４Ａの配置ピッチは、画素４の配置ピッチの約２倍となる。また、画素４Ｌ，４Ｒは画素列６の方向に沿って交互に配置されているので、画素列６に沿った開口部５４Ａの配置ピッチも、画素４の配置ピッチの約２倍となる。換言すれば、開口部５４Ａは、画素列６に沿った方向については、１つおきの画素行５に配置されている。したがって、画素行５、画素列６のいずれの方向についても、開口部５４Ａのなす列は、隣り合う列が互いに半ピッチずつずれるように配置されている。つまり、開口部５４Ａは、市松模様をなすように、チェック状に、又はモザイク状に配置されている。開口部５４Ａがこのような配置となることにより、第１の画像及び第２の画像の解像度の低下を抑制することができる。
【００４４】
こうした構成によれば、画素４Ｌによる第１の画像の表示は、法線方向から−Ｘ方向に傾いた角度から開口部５４Ａを介して視認され、画素４Ｒによる第２の画像の表示は、法線方向から＋Ｘ方向に傾いた角度から開口部５４Ａを介して視認される。より詳しくは、図１６に示すように、画素４Ｌから射出され、開口部５４Ａを通過した光は、−Ｘ方向に偏在する表示角度範囲３Ｌにおいて視認される。同様に、画素４Ｒから射出され、開口部５４Ａを通過した光は、＋Ｘ方向に偏在する表示角度範囲３Ｒにおいて視認される。ここで、表示角度範囲３Ｒは、表示角度範囲３Ｌと異なる範囲を含む。したがって、開口部５４Ａは、画素４Ｌからの光を第１の表示角度範囲に通過させ、画素４Ｒからの光を第１の表示角度範囲とは異なる第２の表示角度範囲に通過させる。そして、表示角度範囲３Ｌのうち表示角度範囲ＶＬでは、画素４Ｌからの光のみが視認され、表示角度範囲３Ｒのうち表示角度範囲ＶＲでは、画素４Ｒからの光のみが視認される。よって、表示角度範囲ＶＬでは第１の画像のみが視認され、表示角度範囲ＶＲでは第２の画像のみが視認される。ただし、画素４Ｌから射出された光の一部は、開口部５４Ａの縁において回折して回折光９Ｌｄとなり、表示角度範囲３Ｌを＋Ｘ方向にはずれた位置に入射する。同様に、画素４Ｒから射出された光の一部は、開口部５４Ａの縁において回折して回折光９Ｒｄとなり、表示角度範囲３Ｒを−Ｘ方向にはずれた位置に入射する。
【００４５】
ところで、対向基板３０に含まれる基板３１は、ケミカルエッチング又はＣＭＰ（Chemical Mechanical Polishing）等により約５０μｍの厚さに加工されている。この加工によって、画素４の光射出部７（図５）と、光学素子５４の開口部５４Ａとの距離が調節され、その結果、光射出部７から開口部５４Ａに至る光路の角度が調節される。これにより、液晶装置１によって第１の画像及び第２の画像が指向性表示される表示角度範囲３Ｌ，３Ｒ，ＶＬ，ＶＲ（図１６）を調節することができる。本実施形態のように、基板３１の厚さを約５０μｍとした場合、第１の画像が表示される表示角度範囲３Ｌ，ＶＬと第２の画像が表示される表示角度範囲３Ｒ，ＶＲとが大きく異なるため、第１の画像と第２の画像とを異なる人物に同時に視認させることができる。基板３１の厚さをより大きくすれば、第１の画像が表示される表示角度範囲３Ｌ，ＶＬと第２の画像が表示される表示角度範囲３Ｒ，ＶＲとが接近していく。この場合は、第１の画像を左目に、第２の画像を右目に入射させることが可能となり、立体表示を行うことができる。
【００４６】
図２に戻り、光学素子５４の開口部５４Ａの、画素行５の延在方向（Ｘ方向）に交差する縁５４Ｂと、画素４の、開口部５４Ａに含まれる境界領域に沿って延在する辺４Ｂとは、いずれもＹ方向に沿って延在しており、平面視で互いに並行している。ここで、ある画素４の辺４Ｂと、この辺４Ｂに最も近い開口部５４Ａの縁５４Ｂとの平面視での距離を、その画素４の光射出幅と定義する。図２において、画素４ｒ，４ｇ，４ｂの光射出幅はそれぞれｄｒ，ｄｇ，ｄｂであり、これらは互いに異なる値となっている。よって、ある色に対応する画素４の光射出幅は、他の色に対応する画素４の光射出幅と異なっている。
【００４７】
特に、光射出幅は、最も長波長側の色に対応する画素４で最も小さく、かつ長波長側の色に対応する画素４ほど小さくなっている。例えば本実施形態では、画素４が対応する色のうち最も長波長側の色は赤であり、赤に対応する画素４ｒの光射出幅ｄｒは、緑に対応する画素４ｇの光射出幅ｄｇより小さくなっている。また、緑に対応する画素４ｇの光射出幅ｄｇは、青に対応する画素４ｂの光射出幅ｄｂより小さくなっている。すなわち、光射出幅ｄｒ，ｄｇ，ｄｂの間には、ｄｒ＜ｄｇ＜ｄｂの関係がある。
【００４８】
光射出幅ｄｒ，ｄｇ，ｄｂが上記の関係を満たすように、開口部５４Ａの画素行５の延在方向（Ｘ方向）についての幅は、当該開口部５４Ａと平面視で一部が重なる境界領域の幅と、当該境界領域を挟んで隣り合う２つの画素４の光射出幅との和に等しくなっている。ここで、画素４の境界領域の画素行５の延在方向についての幅は一定である。つまり、境界領域の幅を一定とし、開口部５４Ａの画素行５方向の幅を適宜変更することで、光射出幅ｄｒ，ｄｇ，ｄｂの大きさが調節されている。
【００４９】
図６は、画素４Ｌ（画素４ｒ，４ｇ，４ｂ）からの回折光９Ｌｄの光路を示す模式断面図である。この図に示された回折光９Ｌｄは、Ｚ軸から最も＋Ｘ方向に傾いた光路を進む、臨界的な回折光である。このような回折光９Ｌｄは、画素４Ｌから射出される光のうち、画素４Ｌの辺４Ｂと光学素子５４の開口部５４Ａの縁５４Ｂとを結ぶ臨界光路８Ｌを通った光が、開口部５４Ａの縁５４Ｂで回折することによって生じる。
【００５０】
ここで、画素４ｒ，４ｇ，４ｂについての臨界光路８Ｌの法線からの角度φｒ，φｇ，φｂは、光射出幅ｄｒ，ｄｇ，ｄｂに依存し、より詳しくは、光射出幅ｄｒ，ｄｇ，ｄｂが大きくなるほど傾きが大きくなる。本実施形態ではｄｒ＜ｄｇ＜ｄｂの関係があるため、臨界光路８Ｌの法線からの傾きについてはφｒ＜φｇ＜φｂの関係が満たされている。また、光の回折角（回折による光の進行角度の変化量）は、波長の長い光ほど大きくなるため、画素４ｒ，４ｇ，４ｂからの光の回折角Δｒ，Δｇ，Δｂの間には、Δｒ＞Δｇ＞Δｂの関係がある。さらに、本実施形態では、（φｒ＋Δｒ）＝（φｇ＋Δｇ）＝（φｂ＋Δｂ）の関係が成り立つように、光射出幅ｄｒ，ｄｇ，ｄｂが決められている。
【００５１】
回折光９Ｌｄの法線からの到達角度範囲θｒ，θｇ，θｂは、臨界光路８Ｌの法線からの傾きと光の回折角との和で表され、θｒ＝φｒ＋Δｒ，θｇ＝φｇ＋Δｇ，θｂ＝φｂ＋Δｂの関係が成り立つ。ここで、上記したようにこれらの式の右辺は互いに等しいので、θｒ＝θｇ＝θｂとなる。つまり、画素４ｒ，４ｇ，４ｂからの回折光９Ｌｄの到達角度範囲は、互いに等しくなっている。
【００５２】
具体的には、光射出幅ｄｒ，ｄｇ，ｄｂを適宜調節することにより、（φｒ，φｇ，φｂ）＝（２．５°，３．０°，３．７°）、（Δｒ，Δｇ，Δｂ）＝（４．５°，４．０°，３．３°）、（θｒ，θｇ，θｂ）＝（７．０°，７．０°，７．０°）とすることができた。
【００５３】
以上のように、まず、開口部５４Ａの幅を調節することで、光射出幅ｄｒ，ｄｇ，ｄｂを所望の値に設定することができる。さらに、光射出幅ｄｒ，ｄｇ，ｄｂを、長波長側の色に対応する画素４ほど小さくすることで、回折光９Ｌｄの到達角度範囲を色によらず一定の値にすることができる。特に、画素４ｒ，４ｇ，４ｂの光射出幅についてｄｒ＜ｄｇ＜ｄｂの関係が成り立つようにすることで、臨界光路８Ｌの方向を画素４の色（赤、緑、青）に応じて異ならせることができ、光の色による回折角の違いを補償して回折光９Ｌｄの到達角度範囲を画素４の色によらず均一にすることができる。これにより、表示の色ごとに回折光の到達角度範囲が異なることに起因して表示品位が低下する不具合を抑制することができる。
【００５４】
また、図７は、画素４Ｒ（画素４ｒ，４ｇ，４ｂ）からの回折光９Ｒｄの光路を示す模式断面図である。この図に示された回折光９Ｒｄは、Ｚ軸から最も−Ｘ方向に傾いた光路を進む、臨界的な回折光である。このような回折光９Ｒｄは、画素４Ｒから射出される光のうち、画素４Ｒの辺４Ｂと光学素子５４の開口部５４Ａの縁５４Ｂとを結ぶ臨界光路８Ｒを通った光が、開口部５４Ａの縁５４Ｂで回折することによって生じる。
【００５５】
図７に示すように、画素４Ｒについても、画素４ｒ，４ｇ，４ｂにおける光射出幅の間にはｄｒ＜ｄｇ＜ｄｂの関係が成り立っている。これにより、画素４Ｌの場合と同様に、回折光９Ｒｄの法線からの到達角度範囲θｒ，θｇ，θｂは、互いに等しくなっている。
【００５６】
以上から、画素４Ｌによる第１の画像及び画素４Ｒによる第２の画像のいずれについても、表示の色ごとに回折光の到達角度範囲が異なることに起因して表示品位が低下する不具合を抑制することができる。
【００５７】
（第２の実施形態）
続いて、第２の実施形態について説明する。第２の実施形態の液晶装置１は、光学素子５４の開口部５４Ａの形状及び遮光層３４の幅が第１の実施形態と異なっており、その他の点は第１の実施形態と同様である。
【００５８】
図８は、本実施形態に係る液晶装置１の表示領域４３の拡大平面図である。また、図９（ａ）は、液晶パネル２の拡大平面図であり、図９（ｂ）は、マスク基板５０の拡大平面図である。図８は、図９（ａ）の液晶パネル２に図９（ｂ）のマスク基板５０を重ねた状態の平面図である。
【００５９】
本実施形態においても、画素４の辺４Ｂと、この辺４Ｂに最も近い開口部５４Ａの縁５４Ｂとの平面視での距離（光射出幅）は、画素４ｒ，４ｇ，４ｂごとに互いに異なっている。より詳しくは、画素４ｒ，４ｇ，４ｂの光射出幅ｄｒ，ｄｇ，ｄｂについて、ｄｒ＜ｄｇ＜ｄｂの関係が成り立っている。
【００６０】
ここで、本実施形態では、隣り合う画素４の間の境界領域のＸ方向についての幅、すなわち遮光層３４の幅が場所によって異なっており、これにより光射出幅ｄｒ，ｄｇ，ｄｂが上記の関係を満たすようになっている。一方で、光学素子５４の開口部５４ＡのＸ方向についての幅は場所によらず一定である。換言すれば、画素４の境界領域の、画素行５の延在方向についての幅は、開口部５４Ａの幅から、当該境界領域を挟んで隣り合う２つの画素４の光射出幅の和を差し引いた長さに等しくなっている。
【００６１】
図１０は、画素４Ｌ（画素４ｒ，４ｇ，４ｂ）からの回折光９Ｌｄの光路を示す模式断面図である。開口部５４Ａの幅は一定であるものの、画素４の境界領域の幅（遮光層３４の幅）が場所により異なっていることで、画素４ｒ，４ｇ，４ｂの光射出幅ｄｒ，ｄｇ，ｄｂは、ｄｒ＜ｄｇ＜ｄｂの関係を有している。これにより、臨界光路８Ｌの法線からの傾きについてはφｒ＜φｇ＜φｂの関係が満たされている。さらに、光の回折角Δｒ，Δｇ，Δｂとの間で（φｒ＋Δｒ）＝（φｇ＋Δｇ）＝（φｂ＋Δｂ）の関係が成り立つように、光射出幅ｄｒ，ｄｇ，ｄｂが決められている。この結果、回折光９Ｌｄの法線からの到達角度範囲θｒ（＝φｒ＋Δｒ），θｇ（＝φｇ＋Δｇ），θｂ（＝φｂ＋Δｂ）は、互いに等しくなっている。
【００６２】
また、図１１は、画素４Ｒ（画素４ｒ，４ｇ，４ｂ）からの回折光９Ｒｄの光路を示す模式断面図である。この図に示すように、画素４Ｒについても、画素４ｒ，４ｇ，４ｂにおける光射出幅の間にはｄｒ＜ｄｇ＜ｄｂの関係が成り立っている。これにより、画素４Ｌの場合と同様に、回折光９Ｒｄの法線からの到達角度範囲θｒ，θｇ，θｂは、互いに等しくなっている。
【００６３】
このように、画素４の間の境界領域の幅（遮光層３４の幅）を調節することによっても光射出幅ｄｒ，ｄｇ，ｄｂを所望の値に設定することができ、この結果、回折光９Ｌｄ，９Ｒｄの到達角度範囲を画素４の色によらず均一にすることができる。これにより、表示の色ごとに回折光の到達角度範囲が異なることに起因して表示品位が低下する不具合を抑制することができる。
【００６４】
（第３の実施形態）
続いて、第３の実施形態について説明する。第３の実施形態の液晶装置１は、光学素子５４の開口部５４Ａがストライプ状となっている点と、画素４Ｌ，４Ｒの配置とが第１の実施形態と異なっており、その他の点は第１の実施形態と同様である。
【００６５】
図１２は、本実施形態に係る液晶装置１の表示領域４３の拡大平面図である。また、図１３（ａ）は、液晶パネル２の拡大平面図であり、図１３（ｂ）は、マスク基板５０の拡大平面図である。図１２は、図１３（ａ）の液晶パネル２に図１３（ｂ）のマスク基板５０を重ねた状態の平面図である。
【００６６】
画素４ｒ，４ｇ，４ｂは、Ｘ方向にこの順に繰り返し配置されて、画素行５を構成している。画素４は、Ｙ方向については、同一の色に対応する画素４が一列にストライプ状に並ぶように配置されている。画素４Ｌ，４Ｒは、Ｘ方向に沿って交互に繰り返し配置されており、またＹ方向には、画素４Ｌ又は画素４Ｒがストライプ状に配置されている。
【００６７】
光学素子５４の開口部５４Ａは、平面視で画素行５のうち画素４Ｌと画素４Ｒとの境界領域のうち１つおきの境界領域を含む領域に、ストライプ状に形成されている。また、開口部５４Ａは、−Ｘ方向に沿って、画素４Ｌ、開口部５４Ａ、画素４Ｒがこの順に並ぶような位置に配置されている。したがって、ある開口部５４Ａの＋Ｘ方向には画素４Ｌが配置され、−Ｘ方向には画素４Ｒが配置されている。なお、−Ｘ方向に沿って画素４Ｒ，４Ｌがこの順に並んでいる部位には開口部５４Ａは設けられていない。
【００６８】
こうした構成によっても、画素４Ｌによる第１の画像の表示は、法線方向から−Ｘ方向に傾いた角度から開口部５４Ａを介して視認され、画素４Ｒによる第２の画像の表示は、法線方向から＋Ｘ方向に傾いた角度から開口部５４Ａを介して視認される。
【００６９】
ここで、本実施形態においても、開口部５４ＡのＸ方向の幅を調節することで、画素４ｒ，４ｇ，４ｂにおける光射出幅ｄｒ，ｄｇ，ｄｂは、ｄｒ＜ｄｇ＜ｄｂの関係を満たすように設定されている。これにより、第１の実施形態と同様に、光の色による回折角の違いを補償して回折光の到達角度範囲を画素４の色によらず均一にすることができる。これにより、表示の色ごとに回折光の到達角度範囲が異なることに起因して表示品位が低下する不具合を抑制することができる。
【００７０】
また、本実施形態は、第２の実施形態と組み合わせてもよい。すなわち、開口部５４ＡのＸ方向の幅を一定とし、画素４の間の境界領域の幅を調節することによって光射出幅ｄｒ，ｄｇ，ｄｂの大きさを設定してもよい。このような構成によっても、回折光の到達角度範囲を画素４の色によらず均一にすることができる。
【００７１】
（電子機器）
上述した液晶装置１は、例えば、図１５に示すような電子機器としてのカーナビゲーションシステム用の表示装置１００に搭載して用いることができる。この表示装置１００は、表示部１１０に組み込まれた液晶装置１によって、２つの画像を異なる表示角度範囲に指向性表示することができる。例えば、運転席側に地図の画像を表示するとともに、助手席側に映画の画像を表示することができる。その際、回折光の影響の色によるばらつきが小さい、高品位な表示を行うことができる。
【００７２】
なお、本発明を適用した液晶装置１は、上記表示装置１００の他、モバイルコンピュータ、デジタルカメラ、デジタルビデオカメラ、車載機器、オーディオ機器等の各種電子機器に用いることができる。
【００７３】
上記実施形態に対しては、様々な変形を加えることが可能である。変形例としては、例えば以下のようなものが考えられる。
【００７４】
（変形例１）
上記実施形態は、画素４ｒ，４ｇ，４ｂにおける光射出幅ｄｒ，ｄｇ，ｄｂを互いに異なる値に設定するものであるが、これに代えて、光射出幅ｄｒ，ｄｇ，ｄｂのうち２つを等しくし、残りの１つをこれと異なる値に設定してもよい。
【００７５】
図１４は、光学素子５４の開口部５４ＡのＸ方向の幅を調節することにより、光射出幅がｄｒ＜ｄｇ＝ｄｂの関係を満たすように設定した例である。このとき、臨界光路８Ｌの法線からの角度φｒ，φｇ，φｂは、φｒ＜φｇ＝φｂの関係を満たしている。また、光の回折角Δｒ，Δｇ，Δｂとの関係では、（φｒ＋Δｒ）＝（φｇ＋Δｇ）＞（φｂ＋Δｂ）となるように、光射出幅ｄｒ，ｄｇ，ｄｂが決められている。したがって、回折光９Ｌｄの法線からの画素４ごとの到達角度範囲は、θｒ＝θｇ＞θｂの関係を有している。なお、図示しないが、画素４Ｒにおける回折光９Ｒｄについても、同様の構成により到達角度範囲はθｒ＝θｇ＞θｂの関係が満たされている。
【００７６】
赤の画素４ｒにおける回折光９Ｌｄ，９Ｒｄの到達角度範囲θｒは、光射出幅が色によらず一定である従来の構成においては、回折角が大きいことに起因してθｇ，θｂとの比較では最も大きくなるが、本変形例においてはθｇと等しい値にまで低減されている。このように、本変形例によれば、回折光の到達角度範囲の色によるばらつきを低減させることができ、回折光による表示品位の低下を抑制することが可能となる。
【００７７】
（変形例２）
上記実施形態では、画素４は赤、緑、青の３色に対応するが、厳密にこれらの色に限定する趣旨ではなく、画素４が対応する３色としては赤系の色、緑系の色、青系の色から任意に選択することができる。また、画素４が対応する異なる色の数は、２色としてもよく、又は４色以上とすることもできる。例えば４色とする場合には、波長に応じて色相が変化する可視光領域（３８０−７８０ｎｍ）のうち、青系の色、赤系の色、及び青から黄までの色相の中で選択された２種の色、とすることができる。ここで系と用いているが、例えば青系であれば純粋の青の色相に限定されるものでなく、青紫や青緑等を含むものである。赤系の色相であれば、赤に限定されるものでなく橙を含む。
【００７８】
（変形例３）
上記実施形態は、光学素子５４の開口部５４Ａの幅、又は画素４の境界領域の幅のいずれかを調整することで画素４の光射出幅を所望の値とするものであるが、これに代えて、光学素子５４の開口部５４Ａの幅、及び画素４の境界領域の幅の双方を場所ごとに変えて光射出幅を調整してもよい。
【００７９】
（変形例４）
上記実施形態は、電気光学パネルとしてＦＦＳモードの液晶パネル２を用いたものであるが、液晶モードはこれに限定されず、例えばＴＮ（Twisted Nematic）、ＶＡ（Vertical Alignment：垂直配向）、ＩＰＳ（In Plain Switching）、ＳＴＮ（Super Twisted Nematic）等、種々のモードを採用することができる。
【００８０】
（変形例５）
電気光学パネルとしては、液晶パネル２の他、有機ＥＬ（Electro Luminescence）装置、ＰＤＰ（Plasma Display Panel）、ＳＥＤ（Surface-conduction Electron-emitter Display）、ＦＥＤ（Field Emission Display）、電気泳動表示装置等の種々の電気光学パネルを用いることができる。
【００８１】
（変形例６）
光学素子５４は、画素４の光射出側に配置されていればよい。例えば、光学素子５４は、対向基板３０の液晶層４０側であってカラーフィルタ３２の観察側に形成されていてもよい。また、光学素子５４は、対向基板３０の観察側の面に形成されていてもよい。
【００８２】
（変形例７）
上記実施形態では、画素４及び光学素子５４の開口部５４Ａは矩形となっているが、これに代えて、楕円形、長円形、平行四辺形、ひし形等、種種の形状とすることができる。これらの場合であっても、光学素子の開口部の、画素行の延在方向に交差する縁と、画素の、開口部に含まれる前記境界領域に沿った辺とは、平面視で互いに並行していることが好ましい。
【図面の簡単な説明】
【００８３】
【図１】液晶装置の構成を示す図であり、（ａ）は斜視図、（ｂ）は（ａ）中のＡ−Ａ線における断面図。
【図２】液晶装置の表示領域の拡大平面図。
【図３】（ａ）は液晶パネルの拡大平面図、（ｂ）はマスク基板の拡大平面図。
【図４】画素の近傍の構成要素を拡大して示した平面図。
【図５】図４中のＢ−Ｂ線における断面図。
【図６】画素４Ｌからの回折光９Ｌｄの光路を示す模式断面図。
【図７】画素４Ｒからの回折光９Ｒｄの光路を示す模式断面図。
【図８】第２の実施形態に係る液晶装置の表示領域の拡大平面図。
【図９】（ａ）は液晶パネルの拡大平面図、（ｂ）はマスク基板の拡大平面図。
【図１０】画素４Ｌからの回折光９Ｌｄの光路を示す模式断面図。
【図１１】画素４Ｒからの回折光９Ｒｄの光路を示す模式断面図。
【図１２】第３の実施形態に係る液晶装置の表示領域の拡大平面図。
【図１３】（ａ）は液晶パネルの拡大平面図、（ｂ）はマスク基板の拡大平面図。
【図１４】変形例１に係る画素からの回折光の光路を示す模式断面図。
【図１５】電子機器としての表示装置の斜視図。
【図１６】指向性表示が可能な電気光学装置の模式断面図。
【図１７】回折光の光路を示す模式断面図。
【符号の説明】
【００８４】
１…電気光学装置としての液晶装置、２…液晶パネル、３Ｌ，３Ｒ，ＶＬ，ＶＲ…表示角度範囲、４…画素、４Ｌ…第１の画素、４Ｒ…第２の画素、５…画素行、６…画素列、７…光射出部、８Ｌ，８Ｒ…臨界光路、９Ｌｄ，９Ｒｄ…回折光、１０…素子基板、１１…基板、１２…ゲート線、１４…ソース線、１６…画素電極、１７…共通電極、２０…ＴＦＴ素子、３０…対向基板、３１…基板、３２…カラーフィルタ、３４…遮光層、４０…液晶層、４０Ａ…液晶分子、４３…表示領域、４６，４７…偏光板、４９…バックライト、５０…マスク基板、５１…基板、５４…光学素子、５４Ａ…開口部、５６…接着剤、１００…電子機器としての表示装置、ｄｒ，ｄｇ，ｄｂ…光射出幅、Δｒ，Δｇ，Δｂ…回折角、φｒ，φｇ，φｂ…臨界光路の法線からの角度、θｒ，θｇ，θｂ…回折光の到達角度範囲。
【図１】
0004973389.tif 000002
【図２】
0004973389.tif 000003
【図３】
0004973389.tif 000004
【図４】
0004973389.tif 000005
【図５】
0004973389.tif 000006
【図６】
0004973389.tif 000007
【図７】
0004973389.tif 000008
【図８】
0004973389.tif 000009
【図９】
0004973389.tif 000010
【図１０】
0004973389.tif 000011
【図１１】
0004973389.tif 000012
【図１２】
0004973389.tif 000013
【図１３】
0004973389.tif 000014
【図１４】
0004973389.tif 000015
【図１５】
0004973389.tif 000016
【図１６】
0004973389.tif 000017
【図１７】
0004973389.tif 000018